【手続補正書】
【提出日】平成17年9月5日(2005.9.5)
【手続補正１】
【補正対象書類名】特許請求の範囲
【補正対象項目名】全文
【補正方法】変更
【補正の内容】
【特許請求の範囲】
【請求項１】
微粒子状、粉末状、粒状または顆粒状の搬送材料を保管容器から、作業または搬送容器あるいは同等の収容空間内に搬送する装置であって、
この装置は、搬送材料用の供給管路（２４）に接続された作用チャンバ（１８）を備え、かつ排出断面を備えており、
流動媒体用の少なくとも1つの給気管（４６）が作用チャンバ（１８）内に通じており、
フィルタとして作用する内側多孔チューブが、前記給気管（４６）と搬送材料との間に置かれ、作用チャンバ（１８）の範囲を決定する空隙（２９）をハウジング（１６）との間で形成し、
搬送材料用の供給管路（２４）がチューブ状空間（３１）に通じ、
このチューブ状空間（３１）を画定する前記フィルタが作用チャンバ（１８）内に置かれ、
この作用チャンバ（１８）が空気管路（５２）および／またはガス管路（５４）に接続されている、装置において、
内側多孔チューブ（２６）に収容されるフィルタ挿入体（３０）が設けられていることを特徴とする装置。
【請求項２】
請求項１において、作用チャンバ（１８）のハウジング（１６）の縦軸（Ａ）がフィルタ挿入体（３０）および／または内側チューブ（２６）の軸位置を決定していることを特徴とする装置。
【請求項３】
請求項１または２において、フィルタ挿入体（３０）の上蓋（２８）が、少なくとも１つの固定具（３４）によりハウジング（１６）の上板（１９）に連結されており、この上板が空隙（２９）に通じている上部空間（１８f）を、フィルタ挿入体（３０）のフィルタ空間（３１）から隔離していることを特徴とする装置。
【請求項４】
請求項１〜３のいずれか一項において、上部空間（１８f）の高さ（ｈ）が調整できるように構成されていることを特徴とする装置。
【請求項５】
請求項３または４において、上蓋（２８）および上板（１９）が、これらを貫通する供給管路（２４）により連結されていることを特徴とする装置。
【請求項６】
請求項３〜５のいずれかにおいて、上蓋（２８）と上板（１９）との間の供給管路（２４）の部分を形成するソケット部（２２）が、入口弁（２３）を備えていることを特徴とする装置。
【請求項７】
請求項１〜６のいずれかにおいて、軸方向に延びるソケット部（２２、２２a）がフィ
ルタ挿入体（３０）のフィルタ空間（３１）に連通しており、このソケットの他端が供給管路（２４）に接続されていることを特徴とする装置。
【請求項８】
請求項７において、ソケット部（２２、２２a）が、フィルタ挿入体（３０）の上蓋（２８）に連結され、かつハウジング（１６）の上板（１９）を貫通しており、さらに少なくとも１つの密封リング（２１）により密封されていることを特徴とする装置。
【請求項９】
請求項６〜８のいずれかにおいて、入口弁（２３）を備えるソケット部（２２）が、上部空間（１８f）内で供給管路（２４）の一部としての役割を果たすことを特徴とする装置。
【請求項１０】
請求項１〜９のいずれかにおいて、作用チャンバ（１８）が真空源（５０）に接続されていることを特徴とする装置。
【請求項１１】
請求項１〜１０のいずれかにおいて、中間に弁（４８）を接続している、真空源（５０）およびガス源が、作用チャンバ（１８）からの共通の出口管（４６、４６a）を有することを特徴とする装置。（図１、２）
【請求項１２】
請求項１１において、入口弁（５６）が、弁（４８）の上流のガス源のガス管路（５４）内に置かれていることを特徴とする装置。
【請求項１３】
請求項１〜１０のいずれかにおいて、真空源（５０）が弁（４８）を備え、この弁が管路（４７）によりガス源の前記入口弁（５６）に接続されており、この管路（４７）が作用チャンバ（１８）に連結された出口管（４６a）を有するＴ字管として構成されていることを特徴とする装置。（図８、９）
【請求項１４】
請求項１１または１３において、出口管（４６、４６a）が作用チャンバ（１８）の上部空間（１８f）に接続されていることを特徴とする装置。
【請求項１５】
請求項１〜１４のいずれかにおいて、振動体（４４）が内側チューブ（２６）および／またはフィルタ挿入体（３０）に結合されており、好ましくはこの振動体がハウジング（１６）により保持されていることを特徴とする装置。
【請求項１６】
請求項１５において、振動体（４４）がフィルタ挿入体（３０）の固定具（３４）上に置かれていることを特徴とする装置。
【請求項１７】
請求項１５または１６において、振動体（４４）が２０〜１５０Ｈｚの振動周波数を有することを特徴とする装置。
【請求項１８】
請求項１〜１７のいずれかにおいて、フィルタ空間（３１）の出口側に閉鎖部材（４０、４０a）を備えていることを特徴とする装置。
【請求項１９】
請求項１〜１８のいずれかにおいて、フィルタ空間（３１）の下端が作用チャンバ（１８）を囲むハウジング（１６）の底部開口（３２）に結合し、この底部開口（３２）が閉鎖部材（４０）により閉鎖できるように構成されていることを特徴とする装置。（図１、２、３）
【請求項２０】
請求項１９において、底部開口（３２）が、ハウジング（１６）に結合された容器（１４、６０）の蓋板（１２）に設けられていることを特徴とする装置。
【請求項２１】
請求項１９または２０において、モーター駆動堰・デバイス（６２）を底部開口（３２）に取り付けることにより、搬送材料を密閉された収納容器内に逐次搬送することを特徴とする装置。（図３）
【請求項２２】
請求項２１において、モーター駆動堰・デバイス（６２）は回転可能で、かつ、好ましくは堰・ホイール（６４）に放射状に配置された複数の計量チャンバ（６６）を備えていることを特徴とする装置。
【請求項２３】
請求項１〜１８のいずれかにおいて、排出側のフィルタ空間（３１）が、他端に閉鎖部材（４０a）を備える振動導管（７０）に通じていることを特徴とする装置。（図９）
【請求項２４】
請求項２３において、計量器（７２）を備える容器（７４）が閉鎖部材（４０a）の下流に配置されていることを特徴とする装置。
【請求項２５】
請求項１８〜２４のいずれかにおいて、フィルタ空間（３１）の閉鎖部材（４０、４０a）としてフラップ弁またはバタフライ弁を用いることを特徴とする装置。
【請求項２６】
請求項１８〜２４のいずれかにおいて、フィルタ空間（３１）の閉鎖部材（４０、４０a）としてボール弁またはスライド弁を用いることを特徴とする装置。
【請求項２７】
請求項１〜２６のいずれかにおいて、フィルタ挿入体（３０）の断面形状が円形、三角形、または多角形であることを特徴とする装置。
【請求項２８】
請求項１または２７において、内側チューブ（２６）の断面形状が円形、三角形、または多角形であることを特徴とする装置。
【請求項２９】
請求項１〜２８のいずれかにおいて、フィルタ挿入体（３０）の断面形状が、このフィルタを囲む内側チューブ（２６）の断面形状に一致することを特徴とする装置。
【請求項３０】
請求項１〜２９のいずれかにおいて、内側多孔チューブ（２６）が円形、三角形および／または多角形の孔（２５）を有することを特徴とする装置。
【請求項３１】
請求項１〜２９のいずれかにおいて、内側チューブ（２６）が金網で形成されていることを特徴とする装置。
【請求項３２】
請求項１〜３１のいずれかにおいて、フィルタ挿入体（３０）の表面面積が、内側チューブ（２６）の断面積の少なくとも２／３に相当することを特徴とする装置。
【請求項３３】
請求項１〜３２のいずれかにおいて、フィルタ・チューブ（３０）の直径（ｄ）が５〜１０００ｍｍであり、好ましくは２００〜９００ｍｍであることを特徴とする装置。
【請求項３４】
請求項１〜３３のいずれかにおいて、フィルタ・チューブ（３０）の直径（ｄ）が１００〜６００ｍｍ、または１０〜１５０ｍｍであることを特徴とする装置。
【請求項３５】
請求項１〜３４のいずれかにおいて、フィルタ・チューブ（３０）の長さ（ａ）が２５〜５０００ｍｍであり、好ましくは１０００〜４５００ｍｍであることを特徴とする装置。
【請求項３６】
請求項１〜３５のいずれかにおいて、フィルタ・チューブ（３０）の長さ（ａ）が５０〜３０００ｍｍ、もしくは５０〜６００ｍｍであることを特徴とする装置。
【請求項３７】
請求項１〜３６のいずれかの装置（１０、１０a、１０b）を使用して、微粒子状、粉末状、粒状または顆粒状の搬送材料を搬送する方法であって、この搬送材料を真空で吸引することを特徴とする、搬送方法。
【請求項３８】
請求項３７において、フィルタ・チューブ（３０）を加圧によりクリーニングする、搬送方法。